(57)【要約】【課題】クリップ引き込み部材によりクリップを装填治具本体内へ牽引する際に、クリップとクリップ引き込み部材との係合が意図せずして外れることを防止しつつ、クリップを装填治具本体内に確実に収容する。【解決手段】  クリップを挿入して収容する挿通路を有する装填治具本体と、一端部にクリップと係合する係合部１９５を有し、クリップを挿通路に引き込むクリップ引き込み部材８５と、クリップを係合させた状態で、クリップ及び係合部１９５の外周を覆うと共に、その端部がクリップの牽引方向後端より牽引方向先側に配置されるクリップ開放防止部材８９とを備える。クリップ開放防止部材８９は、複数の分割片を有し、複数の分割片それぞれの牽引方向先側に掛止部２４５が形成される。クリップ引き込み部材８５は、係合部１９５より牽引方向先側に、分割片の掛止部２４５を牽引方向に掛止するための掛止受部２０９を有する。【選択図】図１４
2011254899.tif 000002
【特許請求の範囲】
【請求項１】
互いに拡開付勢された腕部を有するクリップを、処置具のシースに収容させるクリップ装填用治具であって、
前記クリップを挿入して収容する挿通路を有する装填治具本体と、
一端部に前記クリップの腕部と係合する係合部を有し、前記クリップを前記挿通路に引き込むクリップ引き込み部材と、
前記係合部に前記クリップを係合させた状態で、前記クリップ及び前記係合部の外周を覆うと共に、その端部が前記クリップの前記牽引方向後端より牽引方向先側に配置されるクリップ開放防止部材と、
を備え、
前記クリップ開放防止部材が、前記クリップの外周を分割して覆う複数の分割片を有し、該複数の分割片それぞれの前記牽引方向先側に掛止部が形成され、
前記クリップ引き込み部材が、前記係合部より前記牽引方向先側に、前記分割片の掛止部を掛止するための掛止受部を有するクリップ装填用治具。
【請求項２】
請求項１記載のクリップ装填用治具であって、
前記クリップ開放防止部材は、前記装填治具本体の挿通路内では前記挿通路内壁が前記クリップ開放防止部材の外周を覆うことで前記クリップの外周からの分離が規制され、前記挿通路外に抜け出たときに前記挿通路内壁による規制が解除され、前記クリップの外周から分離するクリップ装填用治具。
【請求項３】
請求項１又は請求項２記載のクリップ装填用治具であって、
前記クリップ開放防止部材の分割片が、該分割片同士が互いに対面し合う側面の一部を切り欠いた複数の切り欠き部を有し、前記掛止部が、前記切り欠き部の牽引方向先側の端部から牽引方向後側に向けて突起するフックであり、
前記クリップ引き込み部材の掛止受部が、前記牽引方向先側に形成される段付部の段側面であって、前記牽引方向先側へ向けて斜めに延出する傾斜面部を含み、
前記フックが前記傾斜面部に掛止されるクリップ装填用治具。
【請求項４】
請求項３記載のクリップ装填用治具であって、
前記クリップ開放防止部材の分割片が、前記クリップを挟んで対面する一対の半環状部材であるクリップ装填用治具。
【請求項５】
請求項４記載のクリップ装填用治具であって、
前記クリップ開放防止部材の各分割片が、前記クリップの腕部の拡開方向に分離するクリップ装填用治具。
【請求項６】
請求項４又は請求項５記載のクリップ装填用治具であって、
前記クリップが、該クリップの前記牽引方向後端を中心として前記腕部が拡開し、
前記クリップ開放防止部材の各分割片が、前記クリップより牽引方向先側の、前記フックと前記クリップ引き込み部材の傾斜面部との掛止位置を中心に拡開することで分離するクリップ装填用治具。
【請求項７】
請求項３〜請求項６のいずれか１項記載のクリップ装填用治具であって、
前記クリップ引き込み部材の掛止受部が、前記段側面の傾斜面部と、該傾斜面部の前記牽引方向後側の底辺から延設され前記牽引方向に直交する平坦面部とを有するクリップ装填用治具。
【請求項８】
請求項３〜請求項７のいずれか１項記載のクリップ装填用治具であって、
前記フックが、前記クリップ引き込み部材の前記傾斜面部と平行に対面する傾斜面を有するクリップ装填用治具。
【請求項９】
請求項１〜請求項８のいずれか１項記載のクリップ装填用治具であって、
前記クリップが挿入される前記挿通路の終端から前記クリップ開放防止部材の軸方向長さより短い延出位置に、前記クリップ開放防止部材の外周を支持するガイド部材が配置されたクリップ装填用治具。
【請求項１０】
請求項９記載のクリップ装填用治具であって、
前記クリップを収容し、前記挿通路に対して着脱自在に装着されるケース部材を備えたクリップ装填用治具。
【請求項１１】
請求項１〜請求項１０のいずれか１項記載のクリップ装填用治具に用いるクリップ開放防止部材。
【請求項１２】
互いに拡開付勢された腕部を有するクリップを、クリップ装填用治具に装填するクリップ装填方法であって、
一端部に前記クリップの腕部が係合して該クリップが連結されたクリップ引き込み部材に対し、前記連結されたクリップの外周を複数の分割片からなるクリップ開放防止部材により覆い、
これら前記クリップ引き込み部材、前記クリップ、前記クリップ開放防止部材を、前記クリップ装填用治具の装填治具本体に形成された挿通路内に一体に挿入し、
前記挿通路内の前記クリップ引き込み部材の他端部を、前記挿通路に沿って引き出して、前記クリップ開放防止部材を前記挿通路外に抜き出し、
前記クリップ開放防止部材を前記クリップの腕部の拡開作用によって前記クリップの外周から分離させることで、前記挿通路に前記クリップを残置するクリップ装填方法。
【発明の詳細な説明】
【技術分野】
【０００１】
本発明は、複数のクリップを直線状に連結した連結クリップユニットを、処置具のシースに収容させるクリップ装填用治具、クリップ開放防止部材、及びクリップ装填方法に関する。
【背景技術】
【０００２】
内視鏡用クリップ処置具は、生体内に挿入した内視鏡の鉗子口に挿入して内視鏡先端からシース先端を突出させ、このシース先端に配置されたクリップにより、出血部や病変組織除去後の処置部を摘み、止血や傷口の閉塞を行うために用いられる。従来用いられている内視鏡用クリップは、操作ワイヤの先端に１つのクリップが取り外し可能に取り付けられたもので、一回のクリップ処置を行うごとにシース全体を内視鏡から引き出し、次のクリップをシース先端にセットして再び内視鏡内に挿入し、次のクリップ処置を行うという煩雑な作業が必要となっている。
【０００３】
これに対し、近年、特許文献１に開示されるような連続的なクリップ処置を可能にする連発式の内視鏡用クリップ処置具が提案されている。この種の内視鏡用クリップ処置具は、複数のクリップを先端内部に内臓する長尺なシースを有し、シースの先端から、複数のクリップのうちの先頭のクリップを突出させて、このクリップによって、止血やマーキング等のためのクリップ処置を行うことができる。そして、一回のクリップ処置を終えた後、使用済みのクリップをシースから外し、内臓されたクリップに接続されている操作ワイヤとシースとを相対的に移動させることで、次のクリップがクリップ処置動作可能な状態（スタンバイ状態）となり、これにより連続したクリップ処置を行うことができる。
【０００４】
上記のような連続的なクリップ処理を行う内視鏡クリップ処置具に複数のクリップを装填する際は、専用のクリップ装填用治具が用いられる。クリップ装填用治具は、複数のクリップを連結した連結クリップユニットを収容する挿通路を有し、この挿通路に収容した連結クリップユニットを内視鏡クリップ処置具のシースへ装填する。そのため、クリップ装填用治具の挿通路には連結クリップユニットを予め収容しておく必要があるが、それは次のようにして行われる。
【０００５】
まず、クリップ装填用治具の挿通路を延長した同軸となる位置に、連結クリップユニットを予め収容したケースを配置しておく。このケース内に収容された連結クリップユニットの先頭クリップは、挿通路内に挿通された棒状のクリップ引き込み部材の一端部と係合しているものである。そして、クリップ装填用治具の外側からクリップ引き込み部材の他端部を牽引すると、ケース内の連結クリップユニットが挿通路に引き出され、挿通路の終端位置では、先頭クリップとクリップ引き込み部材との係合が解除される。これにより、ケース内の連結クリップユニットの全てが挿通路内に収容される。
【０００６】
ところが、連結クリップユニットの先頭クリップとクリップ引き込み部材との係合は、クリップ先端の爪部をクリップ引き込み部材側の係合孔に挿入して係合させるものであり、クリップ自体の寸法が小さいことも相俟って、製造上の僅かな寸法誤差の影響を受けやすい。即ち、クリップや挿通路等の寸法誤差によって、係合の掛かり代が少なくなり、意図せずして相互の係合が解除される虞がある。先頭クリップとクリップ引き込み部材との係合が挿通路への挿入途中で解除されると、連結クリップユニットがクリップ装填用治具内で適正な位置に配置されず、連結クリップユニットがシースに収容できなくなってしまう。また、この問題は、連結クリップユニットに限らず、１つのクリップをクリップ装填用治具に装填する場合も同様である。
【先行技術文献】
【特許文献】
【０００７】
【特許文献１】特開２０１０−１２１７１号公報
【発明の概要】
【発明が解決しようとする課題】
【０００８】
本発明は、クリップ引き込み部材によりクリップを装填治具本体内へ牽引する際に、クリップとクリップ引き込み部材との係合が意図せずして外れることを防止して、クリップを装填治具本体内に確実に収容することを目的とする。
【課題を解決するための手段】
【０００９】
本発明は、下記構成からなる。
（１）  互いに拡開付勢された腕部を有するクリップを、処置具のシースに収容させるクリップ装填用治具であって、
前記クリップを挿入して収容する挿通路を有する装填治具本体と、
一端部に前記クリップの腕部と係合する係合部を有し、前記クリップを前記挿通路に引き込むクリップ引き込み部材と、
前記係合部に前記クリップを係合させた状態で、前記クリップ及び前記係合部の外周を覆うと共に、その端部が前記クリップの前記牽引方向後端より牽引方向先側に配置されるクリップ開放防止部材と、
を備え、
前記クリップ開放防止部材が、前記クリップの外周を分割して覆う複数の分割片を有し、該複数の分割片それぞれの前記牽引方向先側に掛止部が形成され、
前記クリップ引き込み部材が、前記係合部より前記牽引方向先側に、前記分割片の掛止部を掛止するための掛止受部を有するクリップ装填用治具。
（２）  上記のクリップ装填用治具に用いるクリップ開放防止部材。
（３）  互いに拡開付勢された腕部を有するクリップを、クリップ装填用治具に装填するクリップ装填方法であって、
一端部に前記クリップの腕部が係合して該クリップが連結されたクリップ引き込み部材に対し、前記連結されたクリップの外周を複数の分割片からなるクリップ開放防止部材により覆い、
これら前記クリップ引き込み部材、前記クリップ、前記クリップ開放防止部材を、前記クリップ装填用治具の装填治具本体に形成された挿通路内に一体に挿入し、
前記挿通路内の前記クリップ引き込み部材の他端部を、前記挿通路に沿って引き出して、前記クリップ開放防止部材を前記挿通路外に抜き出し、
前記クリップ開放防止部材を前記クリップの腕部の拡開作用によって前記クリップの外周から分離させることで、前記挿通路に前記クリップを残置するクリップ装填方法。
【発明の効果】
【００１０】
本発明によれば、クリップ引き込み部材を牽引して、クリップをクリップ装填用治具の挿通路に挿入する際、クリップ開放防止部材が挿通路から抜け出たときに、クリップ開放防止部材の掛止部と、クリップ引き込み部材の掛止受部との掛止が解除され、クリップ開放防止部材がクリップから離別して脱落する。このとき、クリップ開放防止部材は、牽引方向先側の掛止部が脱落直前まで掛止されるようになる。これにより、クリップ開放防止部材が完全に挿通路から抜け出るまではクリップから離別することがなくなるので、クリップをクリップ装填治具内へ確実に送り込むことができる。
【図面の簡単な説明】
【００１１】
【図１】内視鏡用クリップ処置具の一例を示す斜視図である。
【図２】内視鏡用クリップ処置具のシース先端側に収容された連結クリップユニットを示す概略的な斜視図である。
【図３】クリップ本体及び連結リングの構成を示す斜視図である。
【図４】最後尾の結紮用クリップ体と、連結用クリップ体、操作ワイヤの連結状態を示す部分断面図である。
【図５】クリップ処置具のクリップ処置操作における段階的な状態（Ａ），（Ｂ），（Ｃ），（Ｄ）を示す説明図である。
【図６】クリップ装填用治具の外観図である。
【図７】連結クリップユニットがクリップケースに収容された状態を示す部分破断斜視図である。
【図８】装填治具本体の分解斜視図である。
【図９】図６に示すＡ‐Ａ線断面図である。
【図１０】スライダを斜め下方から見た斜視図である。
【図１１】クリップ引き込み部材の斜視図である。
【図１２】連結クリップユニットと、ケース及びクリップ引き込み部材の分解斜視図である。
【図１３】クリップ引き込み部材の係合部の一側方から見た斜視図（Ａ）、（Ａ）とは反対側から見た斜視図（Ｂ）である。
【図１４】係合部に係合したクリップにクリップ開放防止部材が装着された状態を概略的に示す斜視図である。
【図１５】ケースに収容された連結クリップユニットが装填治具本体に装填され、更にクリップ処置具のシースに収容される状態（Ａ），（Ｂ），（Ｃ），（Ｄ），（Ｅ）を段階的に示す説明図である。
【図１６】ケースに収容された連結クリップユニットが装填治具本体に装填され、更にクリップ処置具のシースに収容される状態（Ａ），（Ｂ），（Ｃ），（Ｄ）を段階的に示す説明図である。
【図１７】解除用空間で連結クリップユニットとクリップ引き込み部材との係合が解除される状態（Ａ），（Ｂ），（Ｃ），（Ｄ）を、上ハーフカバーを外して段階的に示す説明図である。
【図１８】クリップ本体の弾性力によりクリップ開放防止部材が分離して連結クリップユニットとクリップ引き込み部材との係合が解除される状態（Ａ），（Ｂ）を示す拡大図である。
【図１９】クリップ引き込み部材の係合部からクリップ開放防止部材が分離する状態を示す部分拡大斜視図である。
【図２０】シースを装填治具本体に挿入し、装填された連結クリップユニットと操作ワイヤとを連結させる状態（Ａ），（Ｂ），（Ｃ）を段階的に示す説明図である。
【図２１】装填治具本体の案内孔により回転方向位相が位相決めされるクリップ引き込み部材を示す概略的な斜視図である。
【図２２】（Ａ）は爪角度が９０度のクリップ本体が係合部の係合する状態を示す断面図、（Ｂ）は爪角度が１３５度のクリップ本体が係合部に係合する状態を示す断面図である。
【発明を実施するための形態】
【００１２】
以下、本発明の実施形態について、図面を参照して詳細に説明する。
まず最初に、クリップ装填用治具を用いて複数のクリップを装填する、連発式の内視鏡用クリップ処置具について説明する。
図１は本発明の実施形態を説明するための図で、連発式の内視鏡用クリップ処置具の一例を示す斜視図である。
【００１３】
内視鏡用クリップ処置具（以下、単にクリップ処置具とも呼称する）１０は、柔軟な長尺円筒状のシース１１と、シース１１内に挿通された操作ワイヤ１３と、シース１１内に装填されて操作ワイヤ１３に連結される連結クリップユニット１５と、シース１１と操作ワイヤ１３との牽引操作に用いる操作部１７を備えている。
【００１４】
図２はクリップ処置具のシース先端側に収容された連結クリップユニットを示す斜視図である。
連結クリップユニット１５は、直線状に連結された複数個の結紮用クリップ体１９（図示例では一例として１９Ａ〜１９Ｅ）と、最後尾の結紮用クリップ体１９Ｅに連結された連結用クリップ体２５から構成されている。結紮用クリップ体１９は、クリップ本体２１（２１Ａ〜２１Ｅ）と、クリップ本体２１の外側に装着された筒状の連結リング２３（２３Ａ〜２３Ｅ）とを備えている。
【００１５】
図３に示すように、クリップ本体２１は、金属製の細長板を１８０°屈曲させて閉塞端を形成した後、閉塞端から延びる両片を交差させ、かつ２つの開放端が対向するように先端部を屈曲させて爪部２７，２７を形成している。クリップ本体２１は、細長板を交差させた交差部２９を境にして、開放端側が腕部３１，３１であり、閉塞端側がターン部３３である。腕部３１，３１の中央部分には、部分的に広幅とされた凸部３５，３５が形成されている。
【００１６】
腕部３１，３１は、外力が加えられていないときに、爪部２７，２７が離れた開放状態となり、互いに接近するように弾性変形したときに爪部２７，２７が噛合し、クリップ処置の対象となる患部を挟む閉じ状態となる。つまり、爪部２７，２７は、患部を確実に挟むために、Ｖ字のオス型とメス型に形成されている。
【００１７】
図３に示すように、略円筒形状である連結リング２３は、先端側に配された金属製の締付部４１と、後端側に配されたプラスチック製の保持部４５とを備えている。結紮用クリップ体１９は、締付部４１に形成された締付孔４３に、クリップ本体２１がターン部３３側から挿入され、連結リング２３がクリップ本体２１の外側に装着されることにより形成される。締付部４１は、交差部２９の外周を覆う初期位置にセットされ、クリップ本体２１の腕部３１，３１は、開いた状態となる。
【００１８】
締付孔４３は、クリップ本体２１が連結リング２３内に引き込まれたときに、腕部３１，３１を締め付けて爪部２７，２７を閉じる。締付孔４３の径は、クリップ本体２１の凸部３５の幅よりも小さいので、クリップ本体２１の凸部３５から先は連結リング２３内に挿入されない。
【００１９】
保持部４５には、締付孔４３に連なる保持孔４６（図４参照）が形成されている。締付孔４３から挿入されたターン部３３は、保持孔４６内に収容される。保持部４５の外周面には、中心軸に対して対称に、２つのスカート部４７，４７が形成されている。スカート部４７，４７は、保持部４５の先端側から後端側に向かって半径方向に広がるように形成されており、外力が加えられていないときに自身の弾性で開き、外側から押されたときに保持部４５内に入り込むようにして閉じる。
【００２０】
連結リング２３は、爪部２７，２７の開閉方向と、スカート部４７，４７の開閉方向とが９０°ずれるように、クリップ本体２１の外側に装着される。スカート部４７，４７は、連結クリップユニット１５がシース１１内に装填されて閉じたときに、保持孔４６内に収容されているターン部３３を挟み込み、連結リング２３をクリップ本体２１と一体化させる。
【００２１】
複数個の結紮用クリップ体１９は、図２に示すように、前方に配されているクリップ本体２１のターン部３３に後方のクリップ本体２１の爪部２７，２７を係合することによって１列に連結している。連結リング２３は、後方のクリップ本体２１の爪部２７，２７を覆い、爪部２７，２７が開かないようにして、クリップ本体２１の連結を維持する。クリップ本体２１の凸部３５は、保持孔４６の径よりも大きな幅寸法を有しており、連結リング２３の後方に配されたときに、その連結リング２３の後端に当接する。これにより、連結リング２３は、上述した初期位置から、連結クリップユニット１５の後端側への移動が規制される。
【００２２】
図４に示すように、連結用クリップ体２５は、最後尾のクリップ本体２１Ｅのターン部３３に係合するダミークリップ５１と、ダミークリップ５１を保持する連結部材５３とから構成されている。ダミークリップ５１は、金属製の薄板を屈曲して腕部５１ａ，５１ａが形成されており、この腕部５１ａ，５１ａには、ターン部３３と係合する爪部５１ｂ，５１ｂと、連結リング２３Ｅの後端に当接する凸部５１ｃ，５１ｃを有している。爪部５１ｂ，５１ｂは、クリップ本体２１と同様に、外力が加えられていないときに自身の弾性で開き、外側から押されたときに弾性変形して閉じる。連結部材５３は、プラスチックで形成された略円柱形状であり、連結リング２３と同程度の外径を有している。連結部材５３は、操作ワイヤ１３と連結する連結部５７を有している。
【００２３】
シース１１（図１，２参照）は、例えば、金属ワイヤを密着巻きした可撓性のコイルシースである。シース１１の内径は、先のクリップ本体２１のターン部３３と、次のクリップ本体２１の爪部２７，２７との係合が解除される寸法である。即ち、シース１１の内径は、２つの爪部２７，２７の対向方向における長さと、ターン部３３の爪部２７，２７が係合する部分の幅とを足し合わせた長さよりも大きい。
【００２４】
操作ワイヤ１３は、生体適合性を有する金属で形成された金属ワイヤである。図４に示すように、操作ワイヤ１３の先端には、連結用クリップ体２５との連結に用いられるフック３７が設けられている。フック３７は、操作ワイヤ１３の先端に取り付けられた前フック３８と、後フック３９とを備えている。
【００２５】
略四角錐形状の前フック３８は、連結部５７を構成する一対の弾性アーム５９の間に嵌合され、各弾性アーム５９の端部に形成された一対の挟持部６１と当接する。前フック３８と円柱形状の後フック３９との間の操作ワイヤ１３は、挟持部６１により挟持される。後フック３９は、挟持部６１の後端に当接する。これにより、操作ワイヤ１３の牽引と回転とを連結クリップユニット１５に伝達し、シース１１の牽引時に生じる摩擦力によって連結クリップユニット１５がシース１１と一緒に動かないように押さえることができる。
【００２６】
図１に示すように、操作部１７は、シース１１と操作ワイヤ１３とをそれぞれ牽引するシース操作ハンドル６７と、ワイヤ操作ハンドル６５とを有している。シース操作ハンドル６７は、略円筒形状であり、先端にシース１１の後端が固定されている。シース操作ハンドル６７は、ワイヤ操作ハンドル６５の先端に設けられたパイプ６９の外側にスライド自在に装着されており、パイプ６９に沿ってワイヤ操作ハンドル６５側にスライドすることにより、シース１１が操作ワイヤ１３に対して軸方向後端側に牽引される。
【００２７】
ワイヤ操作ハンドル６５は、略円筒形状であり、スライド自在な操作レバー７３を内蔵した貫通窓７１を有している。操作ワイヤ１３は、シース操作ハンドル６７内を通って、操作レバー７３に後端が係止されている。操作レバー７３を軸方向にスライドすると、連結リング２３によるクリップ本体２１の締め付けに必要な量だけ、操作ワイヤ１３がシース１１に対して牽引される。
【００２８】
次に、クリップ処置具１０の作用について、簡単に説明する。図５（Ａ）に示すように、連結クリップユニット１５は、先頭のクリップ本体２１Ａの先端がシース１１の先端に一致するようにシース１１内に装填されている。シース１１は、生体内に挿入された内視鏡の鉗子チャンネルに挿入される。シース１１の先端は、内視鏡先端の鉗子出口から突出して患部に近付けられる。
【００２９】
図１に示すシース操作ハンドル６７を所定量だけ後端側（ワイヤ操作ハンドル６５側）に牽引すると、シース１１が操作ワイヤ１３に対して所定量だけ後退する。すると、連結クリップユニット１５は、シース１１との間に生じる摩擦力により、シース１１と共に後端側に牽引される。しかし、連結リング２３Ｂ，２３Ｃ，２３Ｄ，２３Ｅは、閉じたスカート部４７，４７によってクリップ本体２１Ａ〜２１Ｅと一体化し、後方のクリップ本体２１Ｂ，２１Ｃ，２１Ｄ，２１Ｅの凸部３５と、ダミークリップ５１の凸部５１ｃとにより後端側への移動が規制されているので、シース後端側には移動しない。これにより、図５（Ｂ）に示すように、シース１１の先端から、先頭のクリップ本体２１Ａと連結リング２３Ａとが送り出されることになる。
【００３０】
シース１１から出たクリップ本体２１Ａは、自身の弾性により爪部２７，２７を開く。また、連結リング２３Ａは、スカート部４７，４７がシース１１の内径よりも広幅に開き、連結リング２３Ａがシース１１内に戻らないように係合する。
【００３１】
そして、クリップ処置具１０の先端を移動させ、開放状態にあるクリップ本体２１Ａの爪部２７，２７を患部に押し付ける。この状態で、図１に示すワイヤ操作ハンドル６５の操作レバー７３を引くと、操作ワイヤ１３が所定量だけ牽引され、連結されている連結用クリップ体２５と、複数のクリップ本体２１とが一様に牽引される。操作ワイヤ１３の牽引操作時には、シース１１と連結リング２３Ｂ，２３Ｃ，２３Ｄ，２３Ｅとの間に生じる摩擦力により、連結リング２３Ｂ，２３Ｃ，２３Ｄ，２３Ｅは、シース１１と共に元の位置に残ろうとする。しかし、連結リング２３Ｂ，２３Ｃ，２３Ｄ，２３Ｅは、閉じたスカート部４７，４７によってクリップ本体２１Ｂ，２１Ｃ，２１Ｄ，２１Ｅと一体化しているので、クリップ本体２１Ｂ，２１Ｃ，２１Ｄ，２１Ｅと共に移動する。
【００３２】
図５（Ｃ）に示すように、シース１１から送り出されたクリップ本体２１Ａは、連結リング２３Ａのスカート部４７，４７が開いているので、スカート部４７，４７による押圧保持が解除されている。また、連結リング２３Ａは、スカート部４７，４７によりシース１１内への後退が阻止されている。そのため、先頭のクリップ本体２１Ａは、操作ワイヤ１３が引かれることにより、連結リング２３Ａに対して後退する。締付部４１がクリップ本体２１Ａの凸部３５の直下まで押し込まれることにより、連結リング２３Ａによるクリップ本体２１Ａの締め付けが完了する。
【００３３】
クリップ本体２１Ａの締め付け完了と同時に、クリップ本体２１Ａと次のクリップ本体２１Ｂの係合部が連結リング２３Ａの後端から抜け出る。クリップ本体２１Ｂの腕部３１，３１は、自身の弾性力によってシース１１の内壁に当たるまで拡開し、爪部２７，２７の間がクリップ本体２１Ａのターン部３３の幅よりも広く開いて、クリップ本体２１Ａとクリップ本体２１Ｂとの連結が解除される。図５（Ｄ）に示すように、シース１１の先端を患部から離すと、結紮用クリップ体１９Ａがシース１１の先端から抜け出る。
【００３４】
操作レバー７３の牽引操作をやめると、操作レバー７３は図示しないバネの付勢力によって元の位置に復帰する。これにともない、操作ワイヤ１３がシース１１内で先端側に移動し、連結用クリップ体２５、クリップ本体２１Ｂ，２１Ｃ，２１Ｄ，２１Ｅが押されるので、図５（Ｄ）に示すように、２発目のクリップ本体２１Ｂの先端は、シース１１の先端に略一致する位置に移動する。以降、一発目の結紮用クリップ体１９Ａと同様に、操作部１７を操作して、２発目、３発目の結紮用クリップ体１９Ｂ，１９Ｃ，１９Ｄ，１９Ｅでクリップ処置を行うことができる。
【００３５】
次に、上記クリップ処置具１０にクリップを装填するクリップ装填用治具について説明する。
図６にクリップ装填用治具の外観図を示すように、クリップ装填用治具１００は、連結クリップユニット１５を収容したケース部材であるクリップケース８１と、クリップケース８１が挿入された板状の装填治具本体８３と、クリップケース８１から装填治具本体８３内に連結クリップユニット１５を引き込むクリップ引き込み部材８５と、操作ワイヤ１３と連結用クリップ体２５との連結に用いられるスライダ８７とを備えている。このクリップ装填用治具により、クリップケース８１から連結クリップユニットを装填治具本体８３内に引き込んで収容し、また、シース内にこの収容された連結クリップユニットを装填する。
【００３６】
装填治具本体８３は、図７に装填治具本体８３の分解斜視図を示すように、下ハーフカバー１１１と、上ハーフカバー１４１とを接合して形成されている。
【００３７】
クリップケース８１は、図８に連結クリップユニット１５がクリップケース８１に収容された状態を示す部分破断斜視図を示すように、右ケース２２１と左ケース２２３を組合せて横断面が略Ｙ字形に形成されている。クリップケース８１は、下側の半円筒状部９５から位置決め部９７が下方に突出して形成され、右ケース２２１と左ケース２２３とが対面する内側には円柱状の空間であるクリップ収容部９１が形成される。また、外側面には、長手方向に離間して両外側に向けて突出形成された一対のリブ１０１，１０１（図８では本体プレート８２Ｂ側のみ表示している）が設けられている。また、クリップケース８１の装填治具本体８３への挿入側とは反対の基端側の上部には、摘み部９３が装着されている。摘み部９３は、装填治具本体８３に装着されたクリップケース８１を装填治具本体８３から引き抜く際の滑り止めとなる。
【００３８】
図６に示すように、装填治具本体８３の長手方向の一端部側には、図中上側表面から窪んだ凹部１６１が形成されている。この凹部１６１の領域内には、クリップケース８１を図中矢印Ｐ方向に挿入可能に、クリップケース８１よりも僅かに大きな幅を有して上部が開放されたケース挿入孔１６３が形成されている。これら凹部１６１とケース挿入孔１６３は上ハーフカバー１４１に形成される。そして、凹部１６１内の対向する下ハーフカバー１１１の底面には、ケース挿入溝１５９がケース挿入孔１６３に対応して長手方向に沿った直状に形成されている。
【００３９】
下ハーフカバー１１１のケース挿入溝１５９には、クリップケース８１がクリップケース８１下側の位置決め部９７を当接させながら軸方向に沿って挿入される。つまり、クリップケース８１は、図６に示すケース挿入孔１６３の開口された側から矢印Ｐ方向に沿ってケース挿入溝１５９に挿入される。また、ケース挿入溝１５９の両脇には、ケース挿入溝１５９から一段高い位置にリブ摺動面１１３が形成されている。このリブ摺動面１１３には、クリップケース８１が装填治具本体８３に挿入されたときにクリップケース８１のリブ１０１が当接することで、クリップケース８１をケース挿入溝１５９に沿ってガイドする。
【００４０】
これら位置決め部９７及びケース挿入溝５１９、リブ１０１及びリブ摺動面１１３は、連結クリップユニット１５が装填治具本体８３に対して常に一定の姿勢でセットされるように、装填治具本体８３に対するクリップケース８１の挿入姿勢を規正する。
【００４１】
また、クリップケース８１は、連結クリップユニット１５を装填治具本体８３に収容させた後、ケース挿入溝１５９から矢印Ｐとは逆方向に抜き取られ、代わりにシース１１が装填治具本体８３の上方からケース挿入孔１６３、ワイヤ用スリット１６９、及び連結用開口１６７に挿入される。このとき、ケース挿入孔１６３内に挿入されたシース１１の上部が一部露呈されるため、凹部１６１内を把持することによりシース１１が装填治具本体８３から抜け出ることを防止できる。
【００４２】
上記の連結用開口１６７は、操作ワイヤ１３のフック３７を装填治具本体８３内に挿入するための開口であり、フック３７の外径寸法よりも大きな開口面積を有している。ワイヤ用スリット１６９は、ケース挿入溝１５９と連結用開口１６７とを接続するように形成されており、操作ワイヤ１３が挿入可能な幅寸法を有している。操作ワイヤ１３及びフック３７は、シース１１がケース挿入孔１６３に挿入されたときに、ワイヤ用スリット１６９及び連結用開口１６７に挿入され、装填治具本体８３内に引き込まれた連結用クリップ体２５の連結部材５３に連結される（図４参照）。
【００４３】
図９に図６のＡ−Ａ線断面図を示す。クリップケース８１のクリップ収容部９１内には、連結クリップユニット１５の先頭となるクリップ本体２１Ａがクリップケース８１の先端８１ａ側に配されている。つまり、図２に示す連結クリップユニット１５が、図９のクリップケース８１の先端側８１ａを先頭に配置されている。
【００４４】
また、装填治具本体８３内には、ケース挿入溝１５９の奥側に、ケース挿入溝１５９に挿入されたクリップケース８１のクリップ収容部９１と同軸に、円柱状の空間である挿通路１３５を設けてある。この挿通路１３５は、クリップ収容部９１と略同じ内径を有し、その内周面がクリップケース８１のクリップ収容部９１の内周面と接続されている。従って、挿通路１３５の内周面は、クリップ収容部９１から引き込まれた連結クリップユニット１５の外周を覆い、連結リング２３Ａ，２３Ｂ，２３Ｃの各スカート部４７を半径方向内側に押して閉じさせる。
【００４５】
ここで、装填治具本体８３について更に詳述する。
下ハーフカバー１１１におけるケース挿入溝１５９のクリップ引き込み部材８５側が配置される側には、上ハーフカバー１４１と接合したときに挿通路１３５を形成する半円形状の凹部１２１が形成されている。この凹部１２１のケース挿入溝１５９とは反対側に、凹部１２１内の空間が半径方向外側に広がる係合解除用凹部１２３が形成されている。係合解除用凹部１２３内には、凹部１２１と同じ半円形状の内周面を有するガイド部材１１７が配置されている。
【００４６】
また、下ハーフカバー１１１は、ケース挿入溝１５９の連結用開口１６７とワイヤ用スリット１６９が配置された長手方向位置に、上ハーフカバー１４１と接合したときにスライダ通路１７１（図６参照）を形成するスライダ収容凹部１２９が形成されている。スライダ収容凹部１２９は、スライダ８７の挿入方向と直交する幅寸法と略等しい幅を有する矩形状に形成されている。
【００４７】
スライダ収容凹部１２９の略中央部分には、スライダ収容凹部１２９の両端の辺を接続する突起面からなる接続台部１３１が設けられている。接続台部１３１は、詳細は後述するが、連結用クリップ体２５とフック３７（図４参照）を接続する際の押さえ板となる。接続台部１３１の中央部には、ケース挿入溝１５９が延長された溝部が設けられている。
【００４８】
一方、上ハーフカバー１４１には、前述のケース挿入孔１６３、連結用開口１６７、ワイヤ用スリット１６９が形成されており、ケース挿入孔１６３の両脇には、クリップケース８１がケース挿入溝１５９に挿入されたとき、クリップケース８１のリブ１０１に当接して、リブ１０１を下ハーフカバー１１１のケース摺動面１１５との間で狭持するケース摺動面１５３が設けられている。
【００４９】
また、上ハーフカバー１４１には、下ハーフカバー１１１の凹部１２１と対面して挿通路１３５を形成する半円形状の凹部１４３と、係合解除用凹部１４５が形成されている。係合解除用凹部１４５内には、凹部１４３の延長線上に凹部１４３と同じ半円形状の内周面を有するガイド部材１５１が配置されている。
【００５０】
更に、スライダ収容凹部１２９に対面する位置には、スライダ通路１７１（図６参照）を形成するスライダ用凹部１４９が形成されている。上記の連結用開口１６７及びワイヤ用スリット１６９は、スライダ用凹部１４９を貫通して形成されている。
【００５１】
また、上ハーフカバー１４１には、その外周縁部に沿って複数の係合突起１５５が形成されており、これらの係合突起１５５に対応して下ハーフカバー１１１に設けられた不図示の係止部が、係合突起１５５と係合して下ハーフカバー１１１と上ハーフカバー１４１とが接合する。
【００５２】
係合解除用凹部１２３と係合解除用凹部１４５は、下ハーフカバー１１１と上ハーフカバー１４１とを接合したときに、挿通路１３５内の空間が半径方向外側に広がる係合解除用空間１３９（図２１参照）が形成される。
【００５３】
係合解除用空間１３９の上下方向の寸法は、少なくとも連結クリップユニット先頭のクリップ本体２１（図３参照）の凸部３５の幅よりも大きい。また、係合解除用空間１３９の上下方向と直交する左右方向は、先頭のクリップ本体２１の腕部３１，３１が、全開状態にできる幅寸法を有する。この係合解除用空間１３９は、連結クリップユニット１５が装填治具本体８３内の挿通路１３５に引き込まれ、図２に示す後端の連結用クリップ体２５の連結部５７が、図６に示す連結用開口１６７及びワイヤ用スリット１６９に対面する位置に到達したときに、先頭のクリップ本体２１Ａ（図２参照）が係合解除用空間１３９内に到達するように配置されている。
【００５４】
ところで、装填治具本体８３は、クリップ本体２１Ａの種類、サイズ、シース１１に装填されるクリップ本体２１の個数などに対応して複数種類のものが用意されている。装填治具本体８３は下ハーフカバー１１１と上ハーフカバー１４１の組立体であることから、異なる種類の下ハーフカバー１１１と上ハーフカバー１４１とが組み合わされる虞がある。そこで、異なる種類のカバー同士が嵌合することを防止するため、下ハーフカバー１１１と上ハーフカバー１４１には、正しく組合せたときだけに嵌合可能となる構造を有している。
【００５５】
即ち、上ハーフカバー１４１には、下ハーフカバー１１１に対面する領域に誤嵌合防止用の凸部１５７が形成されている。そして、下ハーフカバー１１１には、凸部１５７に対応する位置に、カバー同士の接合時に凸部１５７の突出高さを収容する凹部１２７が形成されている。より具体的には、下ハーフカバー１１１、上ハーフカバー１４１は、それぞれの対向面に、肉厚を抜いた凹部１２６，１２８を複数形成しており、これにより凹部１２６，１２８同士の隣接間にはリブ１３０，１３２が形成される。上ハーフカバー１４１では、リブ１３２の高さよりも突出する識別用凸部１５７を形成し、下ハーフカバー１１１では、上ハーフカバー１４１の識別用凸部１５７に対応する位置のリブをなくして、識別用凸部１５７を収容可能な識別用凹部１２７を形成している。
【００５６】
識別用凸部１５７と識別用凹部１２７は、設置場所を変更したり、複数対設けたりすることにより、複数の嵌合の組合せをつくることができる。なお、識別用凸部１５７や識別用凹部１２７は上記例に限らず、他の周知の構成としてもよい。
【００５７】
次に、図１０を用いてスライダ８７について説明する。
スライダ８７は、装填治具本体８３の側面に設けられたスライダ通路１７１（図６参照）内に挿入される。スライダ８７は、装填治具本体８３内に引き込まれた連結用クリップ体２５（図４参照）と、連結用開口１６７から挿入されたフック３７とを連結させる際に、スライダ通路１７１内に押し込まれる。
【００５８】
スライダ８７は、スライダ通路１７１への押し込み操作に用いられる操作部１７５と、操作部１７５と連続して形成され、先端側に連結用傾斜面１７７を有する連結ブロック１７９と、連結ブロック１７９の両脇に二股状に設けられた一対のガイド腕１８１とが、樹脂材料によって一体成形されている。連結ブロック１７９の下側の平坦面には、連結用クリップ体２５等の外径と略同じ径の内周面を有する凹部１８３が形成されている。ガイド腕１８１の側方には、ガイド腕１８１と平行に係止爪１８５が操作部１７５から延設されている。
【００５９】
スライダ通路１７１にスライダ８７を押し込むと、連結用傾斜面１７７がケース挿入溝１５９に挿入されたフック３７を押圧して接続台部１３１（図７参照）へ押し下げる。そして、係止爪１８５が装填治具本体８３に設けられた不図示の位置決め係合部に係合する所定の挿入位置まで到達すると、連結用クリップ体２５が下ハーフカバー１１１の連通路を形成する凹部１２１と、スライダ８７の凹部１８３が同軸に配置されて上下に押さえ込まれ、連結用クリップ体２５の連結部材５３にフック３７が連結する。
【００６０】
次に、図１１を用いてクリップ引き込み部材８５を説明する。
クリップ引き込み部材８５は、基端側の牽引部１９１と、牽引部１９１の一部から直状に延出された挿通部１９３と、挿通部１９３の先端側に形成された係合部１９５とを有する樹脂材料の一体成形品である。牽引部１９１は、図６に示す装填治具本体８３の長手方向のクリップケース８１側とは反対の他端部側から挿通路１３５内に挿入されており、牽引部１９１は挿通路１３５の外側で配置される。このクリップ引き込み部材８５は、牽引部１９１を摘んで挿通路１３５から抜き取ることで、装填治具本体８３の挿通路１３５内に前述のクリップケース８１に収容さえた連結クリップユニット１５を引き込んで収容させる。
【００６１】
クリップ引き込み部材８５の係合部１９５は、図９に示すように、クリップケース８１のクリップ収容部９１に挿入され、先頭のクリップ本体２１Ａと係合する。従って、連結クリップユニット１５は、クリップケース８１が装填治具本体８３のケース挿入溝１５９に挿入され、牽引部１９１が装填治具本体８３から牽引されたときに、係合部１９５によって先頭のクリップ本体２１Ａが牽引され、クリップ収容部９１から挿通路１３５内に引き込まれる。
【００６２】
ここで、連結クリップユニット１５、クリップケース８１、及びクリップ引き込み部材８５の構成について、図１２の分解斜視図を用いて説明する。
図１２に示すように、クリップケース８１は、右ケース２２１と左ケース２２３とを接合して形成されている。右ケース２２１と左ケース２２３には、接合されたときにクリップ収容部９１となる半円形の収容凹部２２５，２２７が互いに対向して形成されている。クリップ収容部９１には連結クリップユニット１５が収容され、連結クリップユニット１５先頭のクリップ本体２１Ａは、クリップ引き込み部材８５の係合部１９５と係合した状態で、その外周面を一対のブラケット８９，８９により覆われている。
【００６３】
連結クリップユニット１５は、先頭のクリップ本体２１Ａが、ブラケット８９を介して収容凹部２２５，２２７の内周面に押されて閉じ状態となって、クリップ収容部９１に収容されている。上述の通り、結紮用クリップ体１９Ａ〜１９Ｅは、爪部２７，２７の開閉方向が交互に９０°回転するように互い違いに連結され、爪部２７，２７とスカート部４７，４７との開閉方向も９０°ずれている。よって、連結リング２３Ａ，２３Ｃ，２３Ｅは、スカート部４７が上下方向で開閉し、連結リング２３Ｂ，２３Ｄは、スカート部４７が水平方向で開閉する。
【００６４】
右ケース２２１と左ケース２２３には、連結リング２３Ｂ，２３Ｄのスカート部４７を開いた状態で収容するスカート用開口２２９が形成されている。また、右ケース２２１と左ケース２２３との合せ目には、両者が接合されたときに、連結リング２３Ａ，２３Ｃ，２３Ｅのスカート部４７を収容するスカート用開口となる切欠２３１がそれぞれ形成されている。これにより、クリップケース８１内でスカート部４７が閉じ方向に押された状態で保管されることによる、スカート部４７の開き方向への復元力（弾性力）の低下を防止することができる。なお、開口に代えて、凹部を設けた構成であってもよい。
【００６５】
上記のクリップケース８１は、クリップ収容部９１内に収容した連結クリップユニット１５をクリップケース８１の外側から視認できるように、透光性を有する樹脂材料で形成することが好ましい。また、右ケース２２１と左ケース２２３との接合には、例えば、接着剤を用いた接着、あるいは超音波等を用いた溶着、係合爪による係合等の周知の接合手段を用いることができる。
【００６６】
次に、クリップ引き込み部材８５の係合部１９５について詳細に説明する。
図１３（Ａ）はクリップ引き込み部材の一側方から見た斜視図で、図１３（Ｂ）は図１３（Ａ）とは反対側から見た斜視図である。係合部１９５の最先端部は、略柱状の係合片１９７が形成され、係合片１９７と挿通部１９３の後端部に設けられた円板状の抜け止め部１９９との間は、４面が軸方向と平行な平面となる断面略矩形状に形成された連結部２０１が一体に形成されている。
【００６７】
係合片１９７には、広幅で互いに対面する両平面に開口し、クリップ本体２１Ａの爪部２７，２７が係合する係合孔２０３が形成されている。係合片１９７と連結部２０１との境界は段付部であり、この段付部は、傾斜面部２０５と、傾斜面部２０５の牽引方向後側（図１３の下側）の底辺から延設され牽引方向に略直交する平坦面部２０７とからなる段側面（掛止受部）２０９を有する。傾斜面部２０５は、係合片１９７の略中心から牽引方向先側（図１３の上側）へ向けて斜めに延出する。
【００６８】
図１４に係合部の係合片に係合したクリップにクリップ開放防止部材が装着された状態を概略的に表す斜視図を示した。同図には、図１２に示すブラケット８９の一方を実線で示し、他方を点線で示している。
図１４に示すように、係合片１９７の傾斜面部２０５と平坦面部２０７とは、金属板等からなるブラケット（クリップ開放防止部材）８９の一端側に形成された爪状の掛止部２４５（フック）に掛止めする掛止受部２０９となる。係合片の掛止受部２０９（傾斜面部２０５及び平坦面部２０７）は、係合部１９５の軸芯に対して軸対称で表裏２箇所に設けられている。
【００６９】
ブラケット８９は、クリップケース８１に形成されるクリップ収容部９１（図８参照）の内径と略等しい外径を有し、且つ係合片１９７の最大外径に合わせた内径を有する一対の半環状の分割片である。係合片１９７に係合する先頭のクリップ本体２１Ａが閉じる方向に沿って、クリップ本体２１Ａを両側方から挟み込む。そして、クリップ本体２１Ａを挟み込んだ一対のブラケット８９は、互いに対称に配置されている。つまり、係合部１９５は、先頭のクリップ本体２１Ａの爪部２７を係合孔２０３に係止させた状態で、外周面が一対のブラケット８９，８９の掛止部２４５が形成された一端側により覆われている。
【００７０】
ブラケット８９，８９は、半円筒状の側面の一部を切り欠く、切り欠き部２４１，２４３をそれぞれ有する。切り欠き部２４１は、クリップ本体２１Ａの交差部２９及び腕部３１，３１の外方を覆うと共に、切り欠き部２４１と２４３との間の枠片２４４にクリップ本体２１Ａの凸部３５が係止されるようになっている。そして、ブラケット８９，８９は、その牽引方向先側（図１４の右上側）に形成され、切り欠き部２４３の牽引方向先側の端部から牽引方向後側に向けて突起する掛止部２４５が形成されている。掛止部２４５は、係合部１９５の傾斜面部２０５と平行に対面する傾斜面２４７を有する。この掛止部２４５は、ブラケット８９，８９の長手方向一端側で２箇所に設けられている。ブラケット８９，８９の掛止部２４５は、係合部１９５の掛止受部２０９の傾斜面部２０５に沿って掛止めされ、平坦面部２０７には、係合部１９５の先端が当接するだけとなる。
【００７１】
ブラケット８９，８９をクリップ本体２１Ａの両側から挟み込み、且つフック状の掛止部２４５を係合部１９５の掛止受部２０９（傾斜面部２０５及び平坦面部２０７）に掛止めさせると、ブラケット８９，８９及び抜け止め部１９９の外周面が同一の円周上に位置する。このように、ブラケット８９の掛止部２４５を、係合部１９５の掛止受部２０９に掛止めすることで、クリップ引き込み部材８５が牽引されたとき、牽引力がブラケット８９，８９の掛止部２４５を通じ、更に枠片２４４からクリップ本体２１Ａの凸部３５に伝達され、連結リング２３Ａに伝達される。
【００７２】
以上説明した構成のクリップ装填用治具１００から連結クリップユニット１５をシース１１に装填するまでの手順について、クリップ装填用治具１００の構造と共に以下に詳細に説明する。
【００７３】
図１５（Ａ）〜（Ｅ）はクリップケース８１から装填治具本体８３に連結クリップユニット１５を装填し、更に装填治具本体８３からシース１１に連結クリップユニット１５を装填する手順を概略的に示しており、図１６（Ａ）〜（Ｄ）は、図１５（Ａ）〜（Ｅ）の手順における、特に連結クリップユニット１５の配置場所について示している。
【００７４】
図１５（Ａ）及び図１６（Ａ）に示すように、連結クリップユニット１５を収容したクリップケース８１は、装填治具本体８３に組み付けられている。クリップケース８１は前述したように、ケース挿入孔１６３の下方に形成されたケース挿入溝１５９（図７参照）に沿った位置に挿入した後に、上ハーフカバー１４１が下ハーフカバー１１１に被せられる。
【００７５】
ここで、連結クリップユニット１５のクリップケース８１への収納は、次のようにして行う。まず、図１２に示すように、クリップ本体２１Ａ〜２１Ｅに連結リング２３Ａ〜２３Ｅを装着した結紮用クリップ体１９Ａ〜１９Ｅを形成する。図３を参照して、クリップ本体２１に装着された連結リング２３を締付部４１が凸部３５に当接する位置まで移動させ、連結リング２３の後端からターン部３３を露出させる。連結リング２３の保持部４５に形成されたスリット４９をめくり、クリップ本体２１のターン部３３に次のクリップ本体２１の爪部２７，２７を係合させる。
【００７６】
締付部４１が交差部２９の近傍の初期位置にセットされるように連結リング２３を移動させ、連結リング２３で各クリップ本体２１の連結を維持させる。最後端のクリップ本体２１Ｅには、同様の方法で連結用クリップ体２５を連結させる。
【００７７】
連結クリップユニット１５を、各スカート部４７がスカート用開口２２９に挿入されるように右ケース２２１に収納する。クリップ引き込み部材８５の係合部１９５も右ケース２２１に収容し、先頭のクリップ本体２１Ａの腕部３１，３１を閉じて、爪部２７，２７をクリップ引き込み部材８５の係合孔２０３に係合させる。そして、腕部３１，３１の両脇側からブラケット８９，８９を被せ、フック状の掛止部２４５を係合部１９５の掛止受部２０９（傾斜面部２０５及び平坦面部２０７）に掛け止めする（図１４参照）。その後、左ケース２２３を右ケース２２１に被せて両者を接合し、クリップケース８１を形成する。
【００７８】
このとき、先頭のクリップ本体２１Ａは、ブラケット８９，８９を介してクリップケース８１のクリップ収容部９１の内面に押されて閉じ状態となり、爪部２７，２７がクリップ引き込み部材８５の係合孔２０３に係合し、ブラケット８９，８９の掛止部２４５を、クリップ引き込み部材８５の掛止受部２０９（傾斜面部２０５及び平坦面部２０７）に掛け止めしている。また、係合孔２０３に係合した先頭のクリップ本体２１Ａは、係合片１９７の側面に腕部３１，３１がそれぞれ対面し、係合片１９７の上下から切り欠き部２４３を通してクリップ本体２１Ａの凸部３５が突出する。
【００７９】
このようにして、クリップ引き込み部材８５の係合部１９５及び連結クリップユニット１５と共にブラケット８９，８９をクリップケース８１に収納することで、先頭のクリップ本体２１Ａとクリップケース８１のクリップ収容部９１の内面との隙間にブラケット８９，８９が配置される。例えば、クリップ収容部９１の内径を２．０ｍｍ、閉じ状態としたときのクリップ本体２１Ａの幅を１．４ｍｍ、クリップ本体２１Ａの爪部２７，２７と、係合孔２０３との掛かり代は最大でも０．３５ｍｍであり、ブラケット８９の厚さは０．１５ｍｍに成形するものとする。なお、掛かり代は、クリップ本体２１Ａの成形の都合上からこれ以上増やすことはできない。
【００８０】
ここで、ブラケット８９，８９が無い連結クリップユニットの構成の場合は、クリップ収容部９１の内径とクリップ本体２１Ａの幅との隙間は片側で０．３ｍｍ、即ち、両側では合計０．６ｍｍとなり、この隙間内でクリップ本体２１Ａが変位又は移動すると、掛かり代の最大値以上に動くことになるため、係合が外れてしまう可能性がある。
【００８１】
これに対して、本構成例の場合、例えば厚さが０．１５ｍｍのブラケット８９を挟むことで、隙間は片側０．１５ｍｍ、両側０．３ｍｍとなる。よってこの隙間内でクリップ本体２１Ａが変位・移動したとしても、片側０．２ｍｍの掛かり代が残るため、クリップ本体２１Ａが閉じ状態から開放状態へ変位することを抑制し、クリップ本体２１Ａと係合部１９５との係合が外れることを防止できる。
【００８２】
次いで、図１５（Ｂ）及び図１６（Ｂ）に示すように、凹部１６１を把持することでクリップケース８１と装填治具本体８３とを共に保持し、クリップ引き込み部材８５を装填治具本体８３から牽引して引き抜く。クリップ引き込み部材８５の牽引操作により、連結クリップユニット１５は挿通路１３５内に引き込まれる。
【００８３】
つまり、クリップ引き込み部材８５が牽引されることによって、クリップ引き込み部材８５の係合部１９５と共に、ブラケット８９の掛止部２４５と、係合部１９５に形成された掛止受部２０９との掛止めにより、牽引力が伝達されたブラケット８９，８９が挿通路１３５内で移動し、クリップ引き込み部材８５の係合部１９５、とこれに接続されているクリップ本体２１Ａ及びブラケット８９が、クリップケース８１のクリップ収容部９１から挿通路１３５内に移動する。
【００８４】
このとき、クリップ引き込み部材８５の係合部１９５と、クリップ本体２１Ａとの係合状態は、ブラケット８９，８９によって確実に保持されているので、連結クリップユニット１５が係合部１９５から離脱することがない。これにより、先頭のクリップ本体２１Ａに続く連結クリップユニット１５が係合部１９５に牽引されてクリップ収容部９１から挿通路１３５に引き込まれ、挿通路１３５内に引き込まれた連結クリップユニット１５は、各連結リング２３の各スカート部４７が挿通路１３５の内面に押されて閉じていく。そして、クリップ引き込み部材８５の牽引により、連結クリップユニット１５を挿通路１３５に収容させた後、クリップ引き込み部材８５の係合部１９５と先頭のクリップ本体２１Ａとの係合を解除する。
【００８５】
そして、連結クリップユニット１５がクリップ引き込み部材８５の係合部１９５に牽引されて挿通路１３５内に引き込まれ、先頭のクリップ本体２１Ａが、係合解除用空間１３９（図２１参照）内に到達すると、クリップ本体２１Ａの弾性によって開放状態に変位し、ブラケット８９がクリップ本体２１Ａ及び係合部１９５から外れ、爪部２７，２７と係合部１９５との係合が解除される。
【００８６】
ここで、クリップ引き込み部材８５の係合部１９５と先頭のクリップ本体２１Ａとの係合を解除することについて、図１７（Ａ）〜（Ｄ）を用いて詳細に説明する。
ブラケット８９，８９には、内側からクリップ本体２１Ａの弾性力が作用しているが、図１７（Ａ）の位置から、図１７（Ｂ）に示すように、先頭のクリップ本体２１Ａの先端側が、係合解除用空間１３９内に達した状態となったとき、ブラケット８９，８９の後端は挿通路１３５内にあり、挿通路１３５に嵌合しているので、ブラケット８９，８９の後端の開放が阻止されている。また、ブラケット８９，８９の前端は、フック状の掛止部２４５が傾斜面部２０５（掛止受部２０９）に掛止めしており、ブラケット８９，８９の前端の開放が阻止される。
【００８７】
更に、図１７（Ｂ）に示すように、連結クリップユニット１５が係合解除用空間１３９内に引き込まれると、挿通路１３５の終端からブラケット８９の軸方向長さより短い位置にガイド部材１１７，１５１が配置されているので、ブラケット８９，８９の後端が挿通路１３５から抜け出る前に、ブラケット８９，８９の前端外周がガイド部材１１７，１５１により形成される断面円形の挿通路内周面によって支持される。これによっても、ブラケット８９，８９の前端の開放が阻止される。
【００８８】
そして、図１７（Ｃ）に示すように、ブラケット８９，８９の後端が挿通路１３５から抜け出たとき、ブラケット８９，８９の切り欠き部２４３がガイド部材１１７，１５１と一致して、ブラケット８９，８９の前端及び後端の拘束が略同時に解除される。これにより、今まで閉じていたブラケット８９，８９は、係合解除によって係合解除用空間１３９内で脱落する。このとき、クリップ本体２１Ａの弾性力がブラケット８９，８９に作用するため、この弾性力と相俟ってブラケット８９，８９が強制的に開かれて脱落する。
【００８９】
このブラケット８９，８９の係合解除の瞬間について詳述すると、ブラケット８９，８９は、図１８（Ａ）に示すように、傾斜面部２０５に掛止めしている側の掛止部２４５の先端部と傾斜面部２０５との接触点Ａを中心として相対的にねじり回転しながら、ブラケット８９，８９の後端側から外れる。その様子を図１９に斜視図で示した。このとき、反対側（平坦面部２０７側）の掛止部２４５は、平坦面部２０７に掛止めしているので、容易に係合が解除されて、ブラケット８９，８９のねじり回転を阻止することはない。
【００９０】
即ち、ブラケット８９，８９は、脱落直前まで牽引方向先側の掛止部２４５が係合部１９５に掛止されており、掛止部２４５の先端部と傾斜面部２０５との接触点Ａを支点にして牽引方向後側（図１８（Ａ）の下側）が先に拡開した後、続いて図１８（Ｂ）に示すように、牽引方向先側（図１８（Ｂ）の上側）が先頭クリップ１９Ａから離別する。これにより、クリップ引き込み部材８５を引き抜く際に、ブラケット８９，８９が完全に挿通路１３５から抜け出るまではクリップ本体２１Ａから離別することが確実に防止される。従って、クリップ引き込み部材８５の牽引途中でブラケット８９，８９が外れて、連結クリップユニット１５が装填治具本体８３内に送り込まれず、クリップ本体２１が無駄になることがない。
【００９１】
そして、図１７（Ｄ）に示すように、開放状態に変位したクリップ本体２１Ａからの押圧によってクリップ本体２１Ａ及び係合部１９５から外れたブラケット８９，８９は、係合解除用空間１３９内に残される。そして、先頭のクリップ本体２１Ａは、拡開状態となって挿通路１３５端部から突出して、他の部分の連結クリップユニット１５は挿通路１３５内に収容される
【００９２】
このようにして挿通路１３５内に引き込まれた連結クリップユニット１５は、後端側の連結用クリップ体２５の連結部５７が、ケース挿入溝１５９内で連結用開口１６７及びワイヤ用スリット１６９（図６参照）に対面するように、挿通路１３５内で停止する。
【００９３】
そして、連結クリップユニット１５が抜かれた空のクリップケース８１は、図１５（Ｂ）に示すように、摘み部９３を矢印方向に引いて、装填治具本体８３から引き抜かれる。
【００９４】
次に、図１５（Ｃ）に示すように、シース１１の先端のフック３７を連結用開口１６７、ワイヤ用スリット１６９に挿入して、図１５（Ｄ）、図１６（Ｃ）に示すように、スライダ８７をスライダ通路１７１に押し込んで、図１５（Ｅ）、図１６（Ｄ）
に示すように、シース１１を引き抜く。これにより、シース１１内に連結クリップユニット１５が装填される。
【００９５】
ここで、上記の装填治具本体８３からシース１１に連結クリップユニット１５を装填する手順について説明する。
図２０（Ａ）に示すように、ワイヤ操作ハンドル６５に対するシース操作ハンドル６７の牽引操作により、シース１１の先端から突出している操作ワイヤ１３とフック３７は、シース１１と共に連結用開口１６７、ワイヤ用スリット１６９及びケース挿入孔１６３に対し、装填治具本体８３の上方から挿入される。シース１１等の挿入後、シース１１と装填治具本体８３は、凹部１６１を利用して一緒に保持される。
【００９６】
ここで、図２０（Ｂ）、（Ｃ）に示すように、スライダ８７をスライダ通路１７１に押し込むと、連結用傾斜面１７７が前フック３８及び後フック３９を下方に向けて押圧し、連結用傾斜面１７７によって押圧された前フック３８は、四角柱部３８ａの外周面が連結用傾斜面１７７に沿うように回転し、弾性アーム５９，５９を弾性変形させて弾性アーム５９，５９の間に挿入される。また、操作ワイヤ１３は挟持部６１，６１を押し広げて両者の間に入り込み、後フック３９が挟持部６１，６１の後端面に当接する。また、シース１１の内径面と挿通路１３５の内径面とが連接する。
【００９７】
次に、図１６（Ｄ）に示すように、ワイヤ操作ハンドル６５をシース操作ハンドル６７に対して引くことにより、操作ワイヤ１３をシース１１に対して牽引する。操作ワイヤ１３が牽引されると、連結用クリップ体２５を介して操作ワイヤ１３に接続されている連結クリップユニット１５は、その後端側からシース１１内に一緒に引き込まれ、シース操作ハンドル６７がワイヤ操作ハンドル６５の最初のノッチ７５に係合したときに、連結クリップユニット１５の装填が完了する。連結クリップユニット１５が装填されたシース１１は、図１５（Ｅ）に示すように、装填治具本体８３から抜き取られる。
【００９８】
以上説明したように、本構成のクリップ装填用治具１００によれば、係合部１９５に係合させた先頭のクリップ本体２１Ａとクリップ収容部９１の内面との隙間にブラケット８９を配しているので、クリップ引き込み部材８５を牽引する際に、係合部１９５と連結クリップユニット１５との連結が意図せずして外れることを防止できる。よって、連結クリップユニット１５を装填治具本体８３の挿通路１３５へ確実に引き込むことが可能となり、シース１１にクリップ装填を行う際、連結クリップユニット１５をクリップケース８１内に残したままにすることなく、結紮用クリップ体１９を無駄にすることが無い。
【００９９】
また、ブラケット８９、８９は、脱落直前まで牽引方向先側の掛止部２４５が係合部１９５に掛止されており、掛止部２４５の先端部と傾斜面部２０５との接触点Ａを支点にして捻るように牽引方向後側が先に拡開した後、続いて牽引方向先側が先頭クリップ本体２１Ａから離別する。これにより、クリップ引き込み部材８５を押し戻したり、前後に往復動させても、ブラケット８９、８９が完全に挿通路１３５から抜け出るまではクリップ本体２１Ａから離別することがなく、牽引途中でブラケット８９、８９が外れることがない。
【０１００】
そして、ブラケット８９，８９が捻れながら係合解除されて脱落するため、平面上で拡開して脱落する場合よりも他部材との干渉による引っ掛かりが生じにくくなり、より確実な係合解除が実現される。
【０１０１】
また、図２１に示すように、装填治具本体８３の端部に設けられる牽引穴１０５の形状を矩形状とし、クリップ引き込み部材８５の挿通部１９３の断面形状を同様の矩形形状として牽引穴１０５に嵌合させることが好ましい。つまり、下ハーフケース１１１側には矩形状に窪んで形成された当接面１２５、上ハーフケース１４１側には矩形状に窪んで形成された当接面１４７を備える。このような対向面同士を平面形状とすることにより、挿通部１９３、換言すれば係合部１９５の回転方向位置が、牽引穴１０５によって規制される。従って、係合部１９５の係合孔２０３にクリップ本体２１の爪部２７，２７が係合する連結クリップユニット１５、特に連結用クリップ体２５の連結部材５３の回転方向位置が所定の方向に規制され、フック３７（前フック３８及び後フック３９）が確実に連結部材５３に係合可能となる。
【０１０２】
クリップ本体２１の腕部３１に対する爪部２７の屈曲角度αは、用途に応じて任意の角度に設定可能であり、例えば、９０°や１３５°のクリップ本体２１が使用される。図２２に示すように、爪部２７が係合する係合孔２０３の後端側側面２１１の断面形状を、屈曲角度９０°及び１３５°のいずれの爪部２７も係合可能な略台形とすることにより、クリップ引き込み部材８５の共用化が可能となる。屈曲角度９０°及び１３５°の爪部２７が係合孔２０３に係合したとき、係合孔２０３の後端側側面２１１から連結リング２３の前端までの長さＬ１，Ｌ２は同じ長さとなるので、ブラケット８９が完全に挿通路１３５から抜け出してクリップ本体２１から離別したとき、連結部材５３の連結部５７は、連結用開口１６７及びワイヤ用スリット１６９に対面する位置に正確に配置される。
【０１０３】
このように、本発明は上記の実施形態に限定されるものではなく、明細書の記載、並びに周知の技術に基づいて、当業者が変更、応用することも本発明の予定するところであり、保護を求める範囲に含まれる。
上記各実施形態では、クリップケース８１を断面略Ｕ字形状、装填治具本体８３を板形状としたが、これらに限定されない。また、連結用クリップ体２５の連結部５７に対し、フック３７を上方から挿入して連結させたが、軸方向から挿入して連結させてもよい。
クリップ本体２１同士を直接係合させて連結する以外に、連結リング２３と協働する別の部材（例えば、連結フック等のクリップ用の連結部材）を介して、クリップ本体２１同士を連結させてもよい。
また、本発明のクリップ装填用治具及び連結クリップの装填方法を用いる連発式の内視鏡用クリップ処置具は、軟性鏡のほか、硬性鏡にも用いることができる。
更には、上述した複数のクリップが連結された連結クリップユニット１５をクリップ装填用治具に装填する以外にも、一つのクリップをクリップ装填用治具に装填することであってもよい。
【０１０４】
以上の通り、本明細書には次の事項が開示されている。
（１）  互いに拡開付勢された腕部を有するクリップを、処置具のシースに収容させるクリップ装填用治具であって、
前記クリップを挿入して収容する挿通路を有する装填治具本体と、
一端部に前記クリップの腕部と係合する係合部を有し、前記クリップを前記挿通路に引き込むクリップ引き込み部材と、
前記係合部に前記クリップを係合させた状態で、前記クリップ及び前記係合部の外周を覆うと共に、その端部が前記クリップの前記牽引方向後端より牽引方向先側に配置されるクリップ開放防止部材と、
を備え、
前記クリップ開放防止部材が、前記クリップの外周を分割して覆う複数の分割片を有し、該複数の分割片それぞれの前記牽引方向先側に掛止部が形成され、
前記クリップ引き込み部材が、前記係合部より前記牽引方向先側に、前記分割片の掛止部を掛止するための掛止受部を有するクリップ装填用治具。
このクリップ装填用治具によれば、クリップを挿通路に挿入する際に、クリップ引き込み部材を牽引することで、クリップ開放防止部材が装填治具の挿通路から抜け出たときに、クリップ開放防止部材の掛止部と、クリップ引き込み部材の掛止受部との掛止が解除され、クリップ開放防止部材がクリップから離別して脱落する。このとき、クリップ開放防止部材は、牽引方向先側の掛止部が脱落直前まで掛止されているので、クリップ開放防止部材の牽引方向先側を支点にして牽引方向後側が先に拡開し、次いで、牽引方向先側がクリップから離別することになる。これにより、クリップ引き込み部材を押し戻す、或いは前後に往復道させても、クリップ開放防止部材の牽引方向先側が最初に離間して脱落することがなく、クリップ開放防止部材が完全に挿通路から抜け出るまではクリップから離別することがない。従って、クリップ引き込み部材の牽引途中でクリップとクリップ引き込み部材との係合が外れて、クリップが装填治具内の所定位置に送り込まれず、クリップが無駄になることがない。
【０１０５】
（２）  （１）のクリップ装填用治具であって、
前記クリップ開放防止部材は、前記装填治具本体の挿通路内では前記挿通路内壁が前記クリップ開放防止部材の外周を覆うことで前記クリップの外周からの分離が規制され、前記挿通路外に抜け出たときに前記挿通路内壁による規制が解除され、前記クリップの外周から分離するクリップ装填用治具。
このクリップ装填用治具によれば、挿通路からクリップ開放防止部材が抜け出たときに、挿通路内壁による規制がなくなり、クリップ開放防止部材がクリップの外周から分離して抜け落ちる。
【０１０６】
（３）  （１）又は（２）のクリップ装填用治具であって、
前記クリップ開放防止部材の分割片が、該分割片同士が互いに対面し合う側面の一部を切り欠いた複数の切り欠き部を有し、前記掛止部が、前記切り欠き部の牽引方向先側の端部から牽引方向後側に向けて突起するフックであり、
前記クリップ引き込み部材の掛止受部が、前記牽引方向先側に形成される段付部の段側面であって、前記牽引方向先側へ向けて斜めに延出する傾斜面部を含み、
前記フックが前記傾斜面部に掛止されるクリップ装填用治具。
このクリップ装填用治具によれば、クリップ開放防止部材のフックが、クリップ引き込み部材の傾斜面部に掛止されることで、この掛止点を中心にクリップ開放防止部材が拡開してクリップから分離するようになる。
【０１０７】
（４）  （３）のクリップ装填用治具であって、
前記クリップ開放防止部材の分割片が、前記クリップを挟んで対面する一対の半環状部材であるクリップ装填用治具。
このクリップ装填用治具によれば、分割片が一対の半環状部材であることにより、一つの分割片によるクリップへの押し当て面積が増加して、クリップとクリップ引き込み部材との係合状態をより確実に維持できる。
【０１０８】
（５）  （４）のクリップ装填用治具であって、
前記クリップ開放防止部材の各分割片が、前記クリップの腕部の拡開方向に分離するクリップ装填用治具。
このクリップ装填用治具によれば、クリップ開放防止部材の各分割片が、クリップの腕部の弾性復帰力を受けて、腕部の拡開方向に拡開する。
【０１０９】
（６）  （４）又は（５）のクリップ装填用治具であって、
前記クリップが、該クリップの前記牽引方向後端を中心として前記腕部が拡開し、
前記クリップ開放防止部材の各分割片が、前記クリップより牽引方向先側の、前記フックと前記クリップ引き込み部材の傾斜面部との掛止位置を中心に拡開することで分離するクリップ装填用治具。
このクリップ装填用治具によれば、クリップの腕部が牽引方向先側で拡開し、クリップ開放防止部材の各分割片が牽引方向後側が拡開することで、クリップ開放防止部材の分離タイミングを所望のタイミングに確実に設定できる。即ち、クリップ開放防止部材が挿通路から完全に外れるまで規制を維持でき、意図せずしてクリップ開放防止部材が抜け落ちることを確実に防止できる。
【０１１０】
（７）  （３）〜（６）のいずれか１つのクリップ装填用治具であって、
前記クリップ引き込み部材の掛止受部が、前記段側面の傾斜面部と、該傾斜面部の前記牽引方向後側の底辺から延設され前記牽引方向に直交する平坦面部とを有するクリップ装填用治具。
このクリップ装填用治具によれば、段側面の傾斜面部と平坦面部とによって各分割片が掛止され、特に、平坦面部では円周方向に移動可能であるため、各分割片の拡開時には、分割片が傾斜面部と掛止された位置を中心に回転しながら半径方向外側へ拡開する挙動となり、拡開度合いが小さい段階でも、フックの段側面からの離脱が早められ、より確実な分割片の離脱が可能になる。
【０１１１】
（８）  （３）〜（７）のいずれか１つのクリップ装填用治具であって、
前記フックが、前記クリップ引き込み部材の前記傾斜面部と平行に対面する傾斜面を有するクリップ装填用治具。
このクリップ装填用治具によれば、フックがクリップ引き込み部材の傾斜面部と平行な傾斜面を有することで、掛止状態である場合により確実に掛止を維持できる。
【０１１２】
（９）  （１）〜（８）のいずれか１つのクリップ装填用治具であって、
前記クリップが挿入される前記挿通路の終端から前記クリップ開放防止部材の軸方向長さより短い延出位置に、前記クリップ開放防止部材の外周を支持するガイド部材が配置されたクリップ装填用治具。
このクリップ装填用治具によれば、挿通路の終端からクリップ外周に設けたクリップ開放防止部材が完全に抜け出る前に、ガイド部材に牽引方向先側の外周が支持されるため、クリップ開放防止部材の牽引方向先側が先に拡開することが防止され、クリップ開放防止部材の脱落を防止できる。
【０１１３】
（１０）  （９）のクリップ装填用治具であって、
前記クリップを収容し、前記挿通路に対して着脱自在に装着されるケース部材を備えたクリップ装填用治具。
このクリップ装填用治具によれば、クリップをケース部材に収容させた状態で装填治具に纏めて供給することができ、取扱いを容易にできる。
【０１１４】
（１１）  （１）〜（１０）のいずれか１つのクリップ装填用治具に用いるクリップ開放防止部材。
このクリップ開放防止部材によれば、クリップのクリップ装填用治具への装填を円滑に行わせることができる。
【０１１５】
（１２）  互いに拡開付勢された腕部を有するクリップを、クリップ装填用治具に装填するクリップ装填方法であって、
一端部に前記クリップの腕部が係合して該クリップが連結されたクリップ引き込み部材に対し、前記連結されたクリップの外周を複数の分割片からなるクリップ開放防止部材により覆い、
これら前記クリップ引き込み部材、前記クリップ、前記クリップ開放防止部材を、前記クリップ装填用治具の装填治具本体に形成された挿通路内に一体に挿入し、
前記挿通路内の前記クリップ引き込み部材の他端部を、前記挿通路に沿って引き出して、前記クリップ開放防止部材を前記挿通路外に抜き出し、
前記クリップ開放防止部材を前記クリップの腕部の拡開作用によって前記クリップの外周から分離させることで、前記挿通路に前記クリップを残置するクリップ装填方法。
このクリップ装填方法によれば、クリップ引き込み部材の牽引途中でクリップとクリップ引き込み部材との係合が外れて、クリップが装填治具内の所定位置に送り込まれず、クリップが無駄になることがない。
【０１１６】
＜付記＞
互いに拡開付勢された腕部を有するクリップを複数直線状に連結した連結クリップユニットを、処置具のシースに収容させるクリップ装填用治具であって、
前記連結クリップユニットを先頭クリップから挿入して収容する挿通路を有する装填治具本体と、
一端部に前記連結クリップユニットの先頭クリップと係合する係合部を有し、前記連結クリップユニットを前記挿通路に引き込むクリップ引き込み部材と、
前記係合部に前記先頭クリップを係合させた状態で、前記先頭クリップ及び前記係合部の外周を覆うと共に、その端部が前記先頭クリップの前記牽引方向後端より牽引方向先側に配置されるクリップ開放防止部材と、
を備え、
前記クリップ開放防止部材が、前記先頭クリップの外周を分割して覆う複数の分割片を有し、該複数の分割片それぞれの前記牽引方向先側に掛止部が形成され、
前記クリップ引き込み部材が、前記係合部より前記牽引方向先側に、前記分割片の掛止部を掛止するための掛止受部を有するクリップ装填用治具。
このクリップ装填用治具によれば、連結クリップユニットを挿通路に挿入する際に、クリップ引き込み部材を牽引することで、クリップ開放防止部材が装填治具の挿通路から抜け出たときに、クリップ開放防止部材の掛止部と、クリップ引き込み部材の掛止受部との掛止が解除され、クリップ開放防止部材が先頭クリップから離別して脱落する。このとき、クリップ開放防止部材は、牽引方向先側の掛止部が脱落直前まで掛止されているので、クリップ開放防止部材の牽引方向先側を支点にして牽引方向後側が先に拡開し、次いで、牽引方向先側が先頭クリップから離別することになる。これにより、クリップ引き込み部材を押し戻す、或いは前後に往復道させても、クリップ開放防止部材の牽引方向先側が最初に離間して脱落することがなく、クリップ開放防止部材が完全に挿通路から抜け出るまでは先頭クリップから離別することがない。従って、牽引途中で先頭クリップとクリップ引き込み部材との係合が外れて、連結クリップユニットが装填治具内に送り込まれず、クリップが無駄になることがない。
【符号の説明】
【０１１７】
１０  クリップ処置具
１１  シース
１５  連結クリップユニット
２１  クリップ本体
８１  クリップケース（ケース部材）
８３  装填治具本体
８５  クリップ引き込み部材
８９  ブラケット（クリップ開放防止部材）
１００  クリップ装填用治具
１１７  ガイド部材
１３５  挿通路
１５１  ガイド部材
１９５  係合部
２０５  傾斜面部
２０７  平坦面部
２０９  掛止受部（段側面）
２４５  掛止部（フック）
２４７  傾斜面
【図１】
2011254899.tif 000003
【図２】
2011254899.tif 000004
【図３】
2011254899.tif 000005
【図４】
2011254899.tif 000006
【図５】
2011254899.tif 000007
【図６】
2011254899.tif 000008
【図７】
2011254899.tif 000009
【図８】
2011254899.tif 000010
【図９】
2011254899.tif 000011
【図１０】
2011254899.tif 000012
【図１１】
2011254899.tif 000013
【図１２】
2011254899.tif 000014
【図１３】
2011254899.tif 000015
【図１４】
2011254899.tif 000016
【図１５】
2011254899.tif 000017
【図１６】
2011254899.tif 000018
【図１７】
2011254899.tif 000019
【図１８】
2011254899.tif 000020
【図１９】
2011254899.tif 000021
【図２０】
2011254899.tif 000022
【図２１】
2011254899.tif 000023
【図２２】
2011254899.tif 000024